(57)【要約】【課題】収納装置の収納部に表示装置を収納し、収納部に対する表示装置の位置に応じて表示面の表示状態を変更させて快適な視聴環境を提供すること。【解決手段】表示装置３は、収納装置２の収納部に収納される。収納装置２の位置検出部４２は、収納部の開口端に対する表示装置３の位置を検出し、制御部４３は、表示装置３が表示部５２の表示状態を変更するために用いる制御信号を検出された表示装置３の位置に基づいて生成する。制御部４３で生成された制御信号は、制御信号送信部４４によって表示装置３の制御信号受信部５７に送信される。表示装置３の映像信号縮小部５８及び画質・コントラスト調整部５９は、制御信号受信部５７を介して供給された制御信号に基づいて映像信号を処理し、表示部５２に表示される映像の大きさ及び画質やコントラストを変更する。【選択図】図５
2009302765.tif 000002
【特許請求の範囲】
【請求項１】
前面に開口され、表示装置が収納される収納部を有する筐体と、
前記収納部の開口端に対する前記表示装置の位置を検出する位置検出部と、
前記位置検出部によって検出した前記表示装置の位置に基づいて、前記表示装置が表示部の表示状態を変更するために用いる制御信号を生成する制御部と、
前記制御部によって生成された前記制御信号を前記表示装置に送信する送信部と、
を備える収納装置。
【請求項２】
前記制御部は、前記表示装置の表示部に表示される映像の大きさを変更するための前記制御信号を生成する
請求項１記載の収納装置。
【請求項３】
前記収納部に配置され、前記表示装置を保持する保持台と、
前記保持部を前記収納部の奥行き方向へ移動させる保持台移動部と、
を備える請求項２記載の収納装置。
【請求項４】
前記収納部の開口端の照度を検出する照度検出部を備え、
前記制御部は、前記照度検出部によって検出した照度に基づいて前記表示装置の適正な位置を算出し、前記保持部移動機構を介して前記表示装置を移動させる
請求項３記載の収納装置。
【請求項５】
前記制御部は、前記位置検出部によって検出した前記表示装置の位置と、前記照度検出部によって検出した照度に基づいて、前記表示装置の表示部に表示される映像の画質及びコントラストを調整するための前記制御信号を生成する
請求項４記載の収納装置。
【請求項６】
前記筐体の前記収納部は、開口部を有する壁板から形成され、
前記壁板の前記開口部を覆い、前記表示装置から出力される音を通過させるネット部材を備える請求項１記載の収納装置。
【請求項７】
収納装置に設けられた収納部に収納される表示装置本体と、
前記表示装置本体の前面に設けられ、映像信号に基づいた映像が表示される表示部と、
前記収納装置が前記収納部の開口端に対する前記表示装置本体の位置に基づいて生成した制御信号を受信する受信部と、
前記制御信号に基づいて前記映像信号を処理して前記表示部の表示状態を変更する映像信号処理部と、
を備える表示装置。
【請求項８】
前記映像信号処理部は、前記制御信号に基づいて前記表示部に表示する映像の大きさを変更する映像信号縮小処理部を有する
請求項７記載の表示装置。
【請求項９】
前記映像信号処理部は、前記制御信号に基づいて前記表示部に表示する映像の画質及びコントラストを調整する画質・コントラスト調整部を有する
請求項７記載の表示装置。
【請求項１０】
表示装置本体の前面に設けられ、映像信号に基づいた映像が表示される表示部と、前記表示部の表示状態を変更するために用いる制御信号を外部から受信する受信部と、前記制御信号に基づいて前記映像信号を処理して前記表示部の表示状態を変更する映像信号処理部と、を有する表示装置と、
前面に開口され、前記表示装置が収納される収納部が設けられた筐体と、前記収納部の開口端に対する前記表示装置の位置を検出する位置検出部と、前記位置検出部によって検出した前記表示装置の位置に基づいて前記制御信号を生成する制御部と、前記制御部によって生成された前記制御信号を前記表示装置に送信する送信部と、を有する収納装置と、
を備える表示装置収納システム。
【請求項１１】
前記収納装置の前記制御部は、前記表示装置の表示部に表示される映像の大きさを変更するための前記制御信号を生成し、
前記表示装置の前記映像信号処理部は、前記制御信号に基づいて前記表示部に表示する映像の大きさを変更する映像信号縮小処理部を有する
請求項１０記載の表示装置収納システム。
【請求項１２】
前記収納装置は、前記収納部に配置されて前記表示装置を保持する保持台と、前記保持部を前記収納部の奥行き方向へ移動させる保持台移動部と、
を備える請求項１０記載の表示装置収納システム。
【請求項１３】
前面に開口された収納部に収納した表示装置の前記収納部の開口端に対する位置を検出するステップと、
前記表示装置の前記収納部の開口端に対する位置に基づいて、前記表示装置が表示部の表示状態を変更するために用いる制御信号を生成するステップと、
前記制御信号を前記表示装置に送信するステップと、
を有する制御信号送信方法。
【請求項１４】
前面に開口された収納部に収納した表示装置の前記収納部の開口端に対する位置に基づいて生成された制御信号を受信するステップと、
前記制御信号に基づいて映像信号を処理して表示部の表示状態を変更するステップと、
処理された映像信号に基づいて表示部に映像を表示するステップと、
を有する表示方法。
【請求項１５】
前面に開口された収納部に収納した表示装置の前記収納部の開口端に対する位置を検出するステップと、
前記表示装置の前記収納部の開口端に対する位置に基づいて、前記表示装置が表示部の表示状態を変更するために用いる制御信号を生成するステップと、
前記制御信号を前記表示装置に送信するステップと、
前記表示装置によって前記制御信号を受信するステップと、
前記制御信号に基づいて映像信号を処理して表示部の表示状態を変更するステップと、
処理された映像信号に基づいて表示部に映像を表示するステップと、
を有する表示方法。
【発明の詳細な説明】
【技術分野】
【０００１】
本発明は、収納装置、表示装置、表示装置収納システム、制御信号送信方法及び表示方法に関し、特に収納装置に収納される表示装置の位置に基づいて表示装置による表示を変更するのに好適な技術に関する。
【背景技術】
【０００２】
近年、テレビジョン受像機等の表示装置が薄型化され、このような表示装置が収納される収納部を有する収納棚が普及している。テレビジョン受像機等の表示装置は、リビングルームに配置される場合が多い。リビングルームは、通常、南側の日当たりの良い一角を占めるため、日光が表示装置の表示面まで到達してしまうことがある。その場合、映像のコントラストが著しく低下し、映像の視認に支障をきたす。
【０００３】
日光が表示装置の表示面まで到達することを避ける方法としては、例えば、カーテンなどで日光を遮ることが挙げられる。ところが、カーテンなどで日光を遮ると、部屋の日当たりを遮断することになるため、快適な居住空間を確保することができなかった。
【０００４】
日光が表示装置の表示面まで到達することを避ける他の方法としては、収納棚に設けられた収納部の奥側に表示装置を設置することが考えられる。つまり、収納部の奥側に表示装置を設置することにより、収納部を形成する壁板が日光を遮り、日照が表示装置の表示面に到達することを避けることができる。
【０００５】
また、日光が表示装置の表示面まで到達することを避ける他の方法としては、特許文献１に記載されているようなものがある。特許文献１には、ディスプレイ装置の表示画面に外光（日光）が入り込むことを防止するディスプレイ装置用の遮光フードに関するものが記載されている。この特許文献１に記載されたディスプレイ装置用の遮光フードは、ディスプレイ装置に連結され、折り畳みが可能な構造となっている。これにより、外光を遮りたいときには、遮光フードを開いて使用し、必要のないときは閉じておくことができる。
【特許文献１】特開２００６−１７３７２５号公報
【発明の開示】
【発明が解決しようとする課題】
【０００６】
しかしながら、特許文献１に記載されたディスプレイ装置用の遮光フードや、収納部を形成する壁板によって表示装置の表示面に到達する外光を遮ると、例えば、斜め前方から表示面を見る場合に、表示面に表示された映像の一部が遮光フードや壁板で隠れてしまう。そのため、表示された映像の全体を視認することができなくなり、快適な視聴環境を確保できないという問題があった。
【０００７】
また、収納棚の収納部に表示装置を設置する場合、画質やコントラスト等が常に一定であると、収納部に対する表示装置の位置によっては、表示される映像が見え難くなるという問題があった。
【０００８】
本発明は、このような状況に鑑みてなされたものであり、収納装置の収納部に表示装置を収納し、収納部に対する表示装置の位置に応じて表示部の表示状態を変更させて快適な視聴環境を提供することを目的とする。
【課題を解決するための手段】
【０００９】
本発明の収納装置は、筐体と、位置検出部と、制御部と、送信部を備えている。筐体は、前面に開口され、表示装置が収納される収納部を有する。位置検出部は、収納部の開口端に対する表示装置の位置を検出する。制御部は、位置検出部によって検出した表示装置の位置に基づいて、表示装置が表示部の表示状態を変更するために用いる制御信号を生成する。送信部は、制御部によって生成された制御信号を表示装置に送信する。
【００１０】
この収納装置によれば、収納部の開口端に対する表示装置の位置に基づいて、表示装置が表示部の表示状態を変更するために用いる制御信号を生成し、表示装置に送信する。これにより、表示装置は、受信した制御信号に基づいて映像信号を処理し、収納部の開口端に対する位置に応じた表示状態で映像を表示することができる。例えば、収納部を形成する壁板によって映像の一部が隠れてしまう位置に表示装置がある場合、表示装置は、制御信号に基づいて映像信号を処理することで表示する映像を縮小することができる。
【００１１】
本発明の表示装置は、表示装置本体と、表示部と、受信部と、映像信号処理部を備えている。表示装置本体は、収納装置に設けられた収納部に収納される。表示部は、表示装置本体の前面に設けられ、映像信号に基づいた映像を表示する。受信部は、収納装置が収納部の開口端に対する表示装置本体の位置に基づいて生成した制御信号を受信する。映像信号処理部は、制御信号に基づいて映像信号を処理して表示部の表示状態を変更する。
【００１２】
この表示装置によれば、収納装置によって送信された制御信号を受信部によって受信する。そして、受信した制御信号に基づいて映像信号を処理することにより、収納部の開口端に対する位置に応じた表示状態で映像を表示することができる。
【００１３】
本発明の表示装置収納システムは、表示装置と、収納装置を備える。
この表示装置収納システムの表示装置は、表示部と、受信部と、映像信号処理部を有する。表示部は、表示装置本体の前面に設けられ、映像信号に基づいた映像を表示する。受信部は、表示部の表示状態を変更するための制御信号を収納装置から受信する。映像信号処理部は、制御信号に基づいて映像信号を処理して表示部の表示状態を変更する。
収納装置は、筐体と、位置検出部と、制御部と、送信部を有する。筐体には、前面に開口され、表示装置が収納される収納部が設けられている。位置検出部は、収納部の開口端に対する表示装置の位置を検出する。制御部は、位置検出部によって検出した表示装置の位置に基づいて表示部の表示状態を変更するための制御信号を生成する。送信部は、制御部によって生成された制御信号を表示装置に送信する。
【００１４】
この表示装置収納システムによれば、収納装置が、収納部の開口端に対する表示装置の位置に基づいて、表示装置が表示部の表示を変更するための制御信号を生成し、表示装置に送信する。そして、表示装置が、収納装置から送信された制御信号を受信し、受信した制御信号に基づいて映像信号を処理する。これにより、表示装置は、収納部の開口端に対する位置に応じた表示状態で映像を表示することができる。
【００１５】
本発明の制御信号送信方法は、収納部に収納した表示装置の収納部の開口端に対する位置を検出するステップと、検出した表示装置の位置に基づいて、表示装置が表示部の表示状態を変更するために用いる制御信号を生成するステップと、制御信号を表示装置に送信するステップを有するものである。
【００１６】
この制御信号送信方法によれば、収納部の開口端に対する表示装置の位置を検出し、検出した表示装置の位置に基づいて、表示装置が表示部の表示状態を変更するために用いる制御信号を生成する。そして、生成した制御信号を表示装置に送信する。これにより、収納部の開口端に対する位置に応じた表示状態に変更するため制御信号を、表示装置に送信することができる。
【００１７】
本発明の表示方法は、映像信号を受信するステップと、収納部に収納した表示装置の収納部の開口端に対する位置に基づいて生成された制御信号を受信するステップと、制御信号に基づいて映像信号を処理して表示部の表示状態を変更するステップと、処理された映像信号に基づいて表示部に映像を表示するステップを有するものである。
【００１８】
この表示方法によれば、映像信号を受信すると共に、収納部の開口端に対する表示装置の位置に基づいて生成された制御信号を受信し、制御信号に基づいて映像信号を処理して表示部の表示状態を変更する。そして、処理された映像信号に基づいて表示部に映像を表示する。これにより、収納部の開口端に対する表示装置の位置に応じた表示状態で映像を表示することができる。
【００１９】
また、本発明の表示方法は、収納部に収納した表示装置の前記収納部の開口端に対する位置を検出するステップと、表示装置の位置に基づいて、表示装置が表示部の表示状態を変更するために用いる制御信号を生成するステップと、制御信号を表示装置に送信するステップと、送信された制御信号を受信するステップと、映像信号を受信するステップと、制御信号に基づいて映像信号を処理して表示部の表示状態を変更するステップと、処理された映像信号に基づいて表示部に映像を表示するステップを有するものである。
【００２０】
この表示方法によれば、収納部の開口端に対する表示装置の位置を検出し、検出した表示装置の位置に基づいて、表示装置が表示部の表示状態を変更するために用いる制御信号を生成する。そして、生成した制御信号を表示装置に送信する。表示装置は、制御信号と映像信号をそれぞれ受信し、制御信号に基づいて映像信号を処理して表示部の表示状態を変更する。その後、処理された映像信号に基づいて表示部に映像を表示する。これにより、表示装置は、収納部の開口端に対する位置に応じた表示状態で映像を表示することができる。
【発明の効果】
【００２１】
本発明の収納装置、表示装置、表示装置収納システム、制御信号送信方法及び表示方法によれば、収納装置の収納部に対する表示装置の位置に応じてその表示装置の表示状態を変更することができ、快適な視聴環境を提供することができる。
【発明を実施するための最良の形態】
【００２２】
以下、本発明の一実施の形態について説明する。図１は、本発明の表示装置収納システムの第１の実施の形態を示す説明図である。
【００２３】
図１に示すように、本発明の表示装置収納システム１は、収納装置２と、表示装置３とを備えている。まず、収納装置２について説明する。収納装置２は、前面を正面から見た形状が横長の長方形となる筐体１１を備えている。この筐体１１は、前面に開口され、表示装置３が収納される収納部１２を有している。
【００２４】
収納部１２は、長方形の凹部であり、上面を形成する上面板１２ａと、底面を形成する底面板１２ｂと、前面を正面から見て左側面を形成する左側面板１２ｃと、右側面を形成する右側面板１２ｄと、背面を形成する背面板１２ｅ（図２を参照）によって形成されている。底面板１２ｂには、照度検出部の一具体例を示す照度センサ１４が取り付けられている。
【００２５】
照度センサ１４は、収納部１２の開口部側の中央部に配置されており、収納部１２の開口部側の照度を検出するようになっている。この照度センサ１４としては、例えば、フォトＩＣ（Integrated Circuit）モジュールを挙げることができる。本実施の形態では、照度センサ１４を１つ設ける構成としたが、照度センサを２つ以上設ける構成としてもよい。照度センサを２つ以上設ける場合には、収納部１２の開口部側であって、表示装置３の視聴の妨げにならない位置に配置する。
【００２６】
図２は、図１に示すＡ−Ａ線部分の断面図である。左右の側面板１２ｃ，１２ｄは、壁板の一具体例を示すものである。これら左右の側面板１２ｃ，１２ｄの前面側の部位には、水平方向に貫通する開口部（図示せず）がそれぞれ設けられており、各開口部は、ネット部材１５によって覆われている。
【００２７】
このように左右の側面板１２ｃ，１２ｄを形成することにより、表示装置３から出力される音は、左右の側面板１２ｃ，１２ｄを通り抜けることができる。したがって、表示装置３から出力された音が、左右の側面板１２ｃ，１２ｄによって反射することを防止或いは軽減することができ、快適な視聴環境を提供することができる。
【００２８】
本実施の形態では、左右の側面板１２ｃ，１２ｄの前面側の部位に開口部を設ける構成としたが、開口部を設ける位置及びその大きさは、適宜設定することがきる。例えば、本発明に係る左右の側面板としては、枠状に形成された部材と、その部材の開口部を覆うネット部材によって構成してもよい。
【００２９】
図２に示すように、収納装置２の収納部１２には、表示装置３を保持する保持台１６と、この保持台１６を収納部１２の奥行き方向に移動させる２つの保持台移動部２１が設けられている。
【００３０】
本実施の形態では、保持台移動部２１を２つ設ける構成とした（図２を参照）。しかしながら、本発明に係る保持台移動部２１の数としては、１つであってもよく、また、３つ以上としてもよい。
【００３１】
次に、保持台１６及び保持台移動部２１について、図３及び図４を参照して説明する。図３は、収納部１２内において保持台１６を最も前側（以下、「最前部」という。）に移動させた状態を示す説明図である。図４は、収納部１２内において保持台１６を最も奥側（以下、「最奥部」という。）に移動させた状態を示す説明図である。
【００３２】
保持台１６は、側面形状がＬ字状に形成されている。この保持台１６は、収納部１２の底面板１２ｂに対向されるベース部１７と、このベース部１７に連続して略垂直に延在される取付部１８を備えている。表示装置３は、固定ねじ（図示せず）によって保持台１６の取付部１８に取り付けられる。本実施の形態では、表示装置３が保持台１６のベース部１７に載置されない構成としているが、表示装置３をベース部１７に載置して取付部１８に取り付ける構成としてもよい。
【００３３】
ベース部１７の下部には、保持台１６を収納部１２の底面板１２ｂ上で移動させるための複数のローラ１９が設けられている。各ローラ１９の回転軸は、左右の側面板１２ｃ，１２ｄ（図２を参照）が対向する方向に延在されている。そのため、保持台１６は、収納部１２の奥行き方向に移動可能となっている。
【００３４】
保持台移動部２１は、保持台１６の後方に設けられている。この保持台移動部２１は、Ｘ型のリンク機構２２と、このＸ型のリンク機構２２を駆動させる駆動部２３を備えている。リンク機構２２は、第１のリンク片２５と、第２のリンク片２６と、これらリンク片２５，２６を中間部で回転可能に連結する連結軸２７と、２つの摺動支持部材２８，２９と、２つの送りナット３１，３２から構成されている。
【００３５】
２つの摺動支持部材２８，２９は、それぞれ保持台１６の取付部１８に摺動可能に係合されている。これら摺動支持部材２８，２９は、上下方向にのみ摺動可能となっており、水平方向への移動が禁止されている。２つの送りナット３１，３２は、それぞれ収納部１２の背面板１２ｅに摺動可能に係合されている。これら送りナット３１，３２は、上下方向にのみ摺動可能となっており、水平方向への移動が禁止されている。
【００３６】
第１のリンク片２５の一端２５ａ（下端）は、上述した摺動支持部材２９に回動可能に支持され、他端２５ｂ（上端）は、上述した送りナット３１に回動可能に支持されている。また、第２のリンク片２６の一端２６ａ（上端）は、上述した摺動支持部材２８に回動可能に支持され、他端２６ｂ（下端）は、上述した送りナット３２に回動可能に支持されている。
【００３７】
駆動部２３は、制御室４１内に配設された駆動モータ（図示せず）と、この駆動モータの回転軸として設けられた送りねじ軸３４から構成されている。制御室４１には、駆動モータの他に、後述する位置検出部４２、制御部４３及び制御信号送信部４４等が設けられている。
【００３８】
送りねじ軸３４は、収納部１２の上面板１２ａと底面板１２ｂが対向する方向に延在されている。この送りねじ軸３４は、駆動モータ側である半分から下側に設けられたねじ山と、先端側である半分から上側に設けられたねじ山が互いに逆方向に延在されるように構成されている。この送りねじ軸３４の上側に設けられたねじ山には、上述した送りナット３１が螺合され、下側のねじ山には、上述した送りナット３２が螺合されている。
【００３９】
駆動モータによって送りねじ軸３４を一方に回転させると、送りナット３１，３２は、互いに接近するように上下方向へ移動する。また、送りねじ軸３４を他方に回転させると、送りナット３１，３２は、互いに離反するように上下方向に移動する。これにより、第１及び第２のリンク片２５，２６が開閉するように回転し、保持台１６が収納部１２の奥行き方向に移動される。
【００４０】
例えば、図３に示すように、保持台１６を収納部１２の前側（開口側）に移動させるには、駆動モータによって送りねじ軸３４を一方に回転させる。これにより、送りナット３１，３２が互いに接近するように上下方向へ移動し、第１及び第２のリンク片２５，２６が開くように回転する。第１及び第２のリンク片２５，２６が開くように回転すると、摺動支持部材２８，２９が互いに接近するように上下方向へ移動すると共に、第１及び第２のリンク片２５，２６が摺動支持部材２８，２９を介して保持台１６を収納部１２の前側に押圧する。その結果、保持台１６及び保持台１６に取り付けられた表示装置３が収納部１２の前側に移動される。
【００４１】
また、図４に示すように、保持台１６を収納部１２の奥側に移動させるには、駆動モータによって送りねじ軸３４を他方に回転させる。これにより、送りナット３１，３２が互いに離反するように上下方向へ移動し、第１及び第２のリンク片２５，２６が閉じるように回転する。第１及び第２のリンク片２５，２６が閉じるように回転すると、摺動支持部材２８，２９が互いに離反するように上下方向へ移動すると共に、第１及び第２のリンク片２５，２６が摺動支持部材２８，２９を介して保持台１６を収納部１２の奥側に引っ張る。その結果、保持台１６及び保持台１６に取り付けられた表示装置３が収納部１２の奥側に移動される。
【００４２】
上述したように、保持台移動部２１は、保持台１６の後方に設けられている。そのため、図４に示すように、保持台１６を収納部１２内の最奥部に移動させても、保持台移動部２１が収納部１２の開口部から露出することはない。これにより、収納装置２を美観やデザイン性に優れたものにすることができる。また、収納部１２内を簡単に掃除することができ、収納装置２をメンテナンス性に優れたものにすることができる。
【００４３】
本実施の形態では、表示装置３（及び保持台１６）が収納部１２内の最前部に配置される位置（図３に示す位置）を表示装置３の初期位置としている。
【００４４】
次に、制御室４１内に設けられた位置検出部４２、制御部４３及び制御信号送信部４４について、図５を参照して説明する。図５は、収納装置２及び表示装置３の構成例を示すブロック図である。
【００４５】
まず、位置検出部４２について説明する。位置検出部４２は、送りねじ軸３４の回転数を検出する検出器と、検出された送りねじ軸３４の回転数とその回転方向に基づいて保持台１６の位置を算出する計算部を有している。位置検出部４２の検出器としては、例えば、エンコーダを挙げることができる。
【００４６】
位置検出部４２の計算部は、保持台１６の位置を算出することにより、収納部１２の開口端に対する表示装置３の位置を得る。これは、保持台１６に表示装置３が取り付けられることにより、保持台１６に対する表示装置３の位置が決定されるためである。なお、本例では、位置検出部４２によって、収納部１２の開口端に対する表示装置３の後述する表示部５２の位置を検出する。
【００４７】
本実施の形態では、送りねじ軸３４の回転数を検出することにより、収納部１２の開口端に対する表示装置３の位置を得る構成としたが、第１のリンク片２５或いは第２のリンク片２６の回転角を検出して収納部１２の開口端に対する表示装置３の位置を得る構成としてもよい。また、本発明に係る位置検出部としては、マグネットと磁気センサを用いて保持台１６或いは表示装置３の位置を直接検出してもよく、移動する物体の位置を検出するその他の位置検出センサを適用することもできる。
【００４８】
制御部４３は、表示装置位置制御部４６と、映像信号縮小パラメータ計算部４７と、画質・コントラストパラメータ計算部４８と、コントロールコマンド解釈部４９を有している。
【００４９】
表示装置位置制御部４６には、照度センサ１４によって検出された照度と、位置検出部４２によって算出された収納部１２の開口端に対する表示装置３の位置が入力される。また、表示装置位置制御部４６には、コントロールコマンド解釈部４９を介してユーザによる表示装置３の移動命令が入力される。
【００５０】
表示装置位置制御部４６は、入力された情報に基づいて、保持台移動部２１を駆動制御し、保持台１６を介して表示装置３を移動させる。また、表示装置位置制御部４６は、収納部１２の開口端に対する表示装置３の位置の情報を映像信号縮小パラメータ計算部４７と画質・コントラストパラメータ計算部４８に出力する。さらに、表示装置位置制御部４６は、照度センサ１４によって検出された照度の情報を画質・コントラストパラメータ計算部４８に出力する。
【００５１】
映像信号縮小パラメータ計算部４７は、表示装置位置制御部４６から出力された収納部１２の開口端に対する表示装置３の位置に基づいて、映像の縮小を行うためのパラメータを計算する。そして、映像信号縮小パラメータ計算部４７は、計算したパラメータを表す映像縮小制御信号を生成し、制御信号送信部４４に出力する。この映像縮小制御信号に基づいて映像信号を処理することにより、表示装置３に表示される映像の縮小が行われる。映像信号は、表示装置３の後述する映像信号受信部５６によって受信される。
【００５２】
画質・コントラストパラメータ計算部４８は、表示装置位置制御部４６から出力された照度及び表示装置３の位置に応じて、画質やコントラストを最適な状態にするためのパラメータを計算する。そして、画質・コントラストパラメータ計算部４８は、計算したパラメータを表す画質・コントラスト制御信号を生成し、制御信号送信部４４に出力する。この画質・コントラスト制御信号に基づいて映像信号を処理することにより、表示装置３に表示される映像の画質やコントラストが最適な状態に調整される。
【００５３】
例えば、照度センサ１４で検出された照度の値が予め設定された閾値よりも高い場合、画質・コントラストパラメータ計算部４８は、その照度の値に応じてコントラストが高くなるようなパラメータを算出する。逆に、検出された照度の値が予め設定された閾値よりも低い場合、画質・コントラストパラメータ計算部４８は、その照度の値に応じてコントラストが低くなるようなパラメータを算出する。
【００５４】
画質を変更する要素としては、ブライトネス（輝度）、解像度（画素数）、シャープネス（映像の輪郭などを強調する処理）及びノイズ除去処理等を挙げることができる。例えば、照度センサ１４で検出された照度の値が予め設定された閾値よりも高い場合、画質・コントラストパラメータ計算部４８は、ブライトネス、解像度及びシャープネスが高く（多く）なるようなパラメータを算出する。
【００５５】
また、画質・コントラストパラメータ計算部４８は、表示装置３が収納部１２の前側に配置されるほど、コントラスト、ブライトネス、解像度及びシャープネスが高く（多く）なるようなパラメータを算出する。これは、表示装置３が収納部１２の前側に配置されるほど、表示部５２の近傍の照度が高くなるからである。さらに、画質・コントラストパラメータ計算部４８は、表示装置３が収納部１２の奥側に配置されるほど、ノイズ除去処理の強度を弱めるようなパラメータを算出する。これは、表示装置３が収納部１２の奥側に配置されるほど、表示部５２の近傍の照度が低くなり、映像信号に含まれるノイズによる映像への影響が目立たなくなるからである。
【００５６】
コントロールコマンド解釈部４９は、ユーザがリモートコントローラや収納装置２に設けられた操作部（図示せず）によって保持台１６（表示装置３）の移動量を命令する入力を行った場合に、その内容を解釈する。リモートコントローラとしては、収納装置２に対して専用のものを用意してもよく、また、表示装置３のリモートコントローラと一体に構成してもよい。コントロールコマンド解釈部４９は、ユーザによる表示装置３の移動命令を解釈した後、その内容を表示装置位置制御部４６に出力する。
【００５７】
制御信号送信部４４は、映像信号縮小パラメータ計算部４７から出力された映像縮小制御信号と、画質・コントラストパラメータ計算部４８から出力された画質・コントラスト制御信号を、表示装置３の後述する制御信号受信部５７に送信する。
【００５８】
次に、収納装置２による制御信号送信方法について説明する。
【００５９】
まず、位置検出部４２が、収納部１２の開口端に対する表示装置３の位置を検出する。上述したように、本実施の形態では、送りねじ軸３４の回転角を検出して保持台１６の位置を算出することにより、保持台１６に取り付けられた表示装置３の位置を得る。
【００６０】
次に、制御部４３の映像信号縮小パラメータ計算部４７が、収納部１２の開口端に対する表示装置３の位置に基づいて、映像の縮小を行うためのパラメータを計算し、映像縮小制御信号を生成する。
【００６１】
また、制御部４３の画質・コントラストパラメータ計算部４８が、表示装置３の位置と照度センサ１４によって検出された照度の値に基づいて、画質やコントラストを最適な状態にするためのパラメータを計算し、画質・コントラスト制御信号を生成する。これら画質・コントラスト制御信号及び映像縮小制御信号は、表示装置３が後述する表示部５２の表示状態を変更するために用いる制御信号である。
【００６２】
次に、制御信号送信部４４が、映像縮小制御信号及び画質・コントラスト制御信号を表示装置３の制御信号受信部５７に送信する。これにより、表示装置３は、映像縮小制御信号及び画質・コントラスト制御信号を得ることができる。
【００６３】
次に、制御部４３による保持台移動部２１の駆動処理について、図６を参照して説明する。図６は、保持台移動部２１の駆動処理の例を示すフローチャートである。
【００６４】
初めに、制御部４３は、選択されたモードが自動モードであるか否かを判別する（ステップＳ１）。本実施の形態では、ユーザがリモートコントローラや収納装置２に設けられた操作部（図示せず）によって自動モードと手動モードが選択できるようになっている。自動モードは、保持台１６に取り付けられた表示装置３を適正な位置に自動的に移動させるときに選択される。また、手動モードは、ユーザが保持台１６（表示装置３）の移動量を命令するときに選択される。
【００６５】
選択されたモードが自動モードではないと判別したとき、制御部４３は、ユーザによるコマンド入力に基づいて命令解釈を行う（ステップＳ２）。制御部４３は、所定の時間を経過しても、ユーザによるコマンド入力がない場合に、ユーザによる命令はないという解釈を行う。その後、制御部４３は、命令内容と現在の表示装置３の位置に基づいて、表示装置３の移動量を算出し（ステップＳ３）、ステップＳ７の処理に移行する。上述したように、制御部４３がユーザによる命令はないという解釈を行った場合には、表示装置３の移動量として「０」が算出される。
【００６６】
ステップＳ１の処理において、選択されたモードが自動モードである判別したとき、制御部４３は、照度センサ１４によって検出された照度の値が予め設定された閾値よりも大きいか否かを判別する（ステップＳ４）。保持台移動部２１の駆動処理に係る閾値は、画質やコントラストを最適な状態にするためのパラメータを算出する際に用いる閾値と同じであってもよく、また、それぞれ異なる閾値を設定してもよい。
【００６７】
検出された照度の値が予め設定された閾値よりも大きくない、つまり、小さいと判別したとき、制御部４３は、表示装置３を初期位置に配置するための移動量を算出し（ステップＳ５）、ステップＳ７の処理に移行する。照度の値が予め設定された閾値よりも小さい場合は、表示装置３が初期位置（収納部１２内の最前部）にあっても、表示される映像の視認に支障はない。そのため、制御部４３は、表示装置３を初期位置に配置するための移動量を算出する。
【００６８】
ステップＳ４の処理において、検出された照度の値が予め設定された閾値よりも大きいと判別したとき、制御部４３は、検出された照度の値に基づいて、表示装置３の移動量を算出し（ステップＳ６）、ステップＳ７の処理に移行する。
【００６９】
制御部４３の表示装置位置制御部４６には、図示しないＲＯＭ（Read Only Memory）が設けられており、このＲＯＭに、照度の値に対応する表示装置３の適正な位置が規定されたテーブル（ルックアップテーブル）が記憶されている。つまり、表示装置位置制御部４６は、検出された照度の値に対応する表示装置３の適正な位置をルックアップテーブルによって読み出し、その位置と現在の表示装置３の位置に基づいて、表示装置３の移動量を算出する。
【００７０】
次に、制御部４３は、ステップＳ３，ステップＳ５，ステップＳ６の処理で算出された表示装置３の移動量に基づいて駆動命令信号を生成し、保持台移動部２１の駆動モータに出力し（ステップＳ７）、保持台移動部２１の駆動処理を終了する。これにより、保持台移動部２１の駆動モータが回転駆動され、Ｘ型のリンク機構２２によって保持台１６及び表示装置３が適正な位置に移動される。
【００７１】
本実施の形態では、手動モードが選択され、所定の時間を経過しても、ユーザによるコマンド入力がない場合に、制御部４３がユーザによる命令はないという解釈を行う構成とした。しかしながら、本発明に係る収納装置としては、手動モードが選択され、所定の時間を経過しても、ユーザによるコマンド入力がない場合に、自動モードに移行する構成としてもよい。
【００７２】
また、本実施の形態では、リモートコントローラや収納装置２に設けられた操作部（図示せず）によって自動モードと手動モードを選択できる構成としたが、ユーザによるコマンド入力があった場合にのみ、手動モードに移行する構成としてもよい。
【００７３】
以上説明したように、収納装置２によれば、収納部１２の開口端に対する表示装置３の位置に基づいて、表示装置３が表示状態を変更するために用いる映像縮小制御信号及び画質・コントラスト制御信号を生成する。そして、これら映像縮小制御信号及び画質・コントラスト制御信号を制御信号送信部４４によって表示装置３に送信する。
【００７４】
映像縮小制御信号及び画質・コントラスト制御信号を受信した表示装置３は、これら制御信号に基づいて映像信号を処理することにより、収納部１２の開口端に対する位置に応じた表示状態で映像を表示することができる。例えば、映像縮小制御信号に基づいて映像信号を処理することにより、表示される映像を縮小することができ、収納部１２を形成する左右の側面板１２ｃ，１２ｄによって映像の一部が隠れないようにすることができる。
【００７５】
次に、表示装置３について、図１及び図５を参照して説明する。
【００７６】
表示装置３は、映像信号を受信して、その映像信号に基づいた映像を表示するものであり、いわゆる、テレビジョン受像機である。図１に示すように、表示装置３は、表示装置本体５１と、この表示装置本体５１の前面に設けられた表示部５２を備えている。
【００７７】
表示装置本体５１の左右には、スピーカ５４Ｌ，５４Ｒが設けられている。表示部５２は、スピーカ５４Ｌ，５４Ｒの間に配置されており、横長の長方形に形成されている。この表示部５２としては、例えば、液晶パネル、プラズマディスプレイパネル、有機ＥＬ（electroluminescence）パネル等を適用することができる。
【００７８】
図５に示すように、表示装置本体５１には、映像信号受信部５６と、制御信号受信部５７と、映像信号縮小処理部５８と、画質・コントラスト調整部５９が設けられている。
【００７９】
映像信号受信部５６は、映像信号が入力される端子等で構成されている。映像信号受信部５６によって受信された映像信号は、映像信号縮小処理部５８に出力される。制御信号受信部５７は、収納装置２の制御信号送信部４４によって送信された映像縮小制御信号及び画質・コントラスト制御信号を受信する。そして、制御信号受信部５７は、受信した映像縮小制御信号を映像信号縮小処理部５８に出力し、画質・コントラスト制御信号を画質・コントラスト調整部５９に出力する。
【００８０】
映像信号縮小処理部５８は、制御信号受信部５７を介して供給された映像縮小制御信号に基づいて映像信号を処理し、表示される映像を表示装置３の位置に応じた大きさにする。映像信号縮小処理部５８は、処理した映像信号を画質・コントラスト調整部５９に出力する。
【００８１】
画質・コントラスト調整部５９は、制御信号受信部５７を介して供給された画質・コントラスト制御信号に基づいて映像信号を処理し、表示される映像の画質やコントラストを調整する。この画質・コントラスト調整部５９は、処理した映像信号を表示部５２に出力する。そして、表示部５２は、供給された映像信号に基づいて映像を表示する。
【００８２】
ここで、表示装置３による表示方法について説明する。
【００８３】
まず、映像信号受信部５６が、外部から送られてくる映像信号を受信し、制御信号受信部５７が収納装置２の制御信号送信部４４によって送信された映像縮小制御信号及び画質・コントラスト制御信号を受信する。次に、映像信号縮小処理部５８が、映像縮小制御信号に基づいて映像信号を処理し、映像が表示装置３の位置に応じた大きさで表示されるようにする。
【００８４】
次に、画質・コントラスト調整部５９が、映像信号縮小処理部５８から出力された映像信号を画質・コントラスト制御信号に基づいて処理する。これにより、映像の画質やコントラストが、表示装置３の位置と収納部１２の開口端における照度の値に応じて調整される。その後、表示部５２が、画質・コントラスト調整部５９から出力された映像信号に基づいて映像を表示する。
【００８５】
このように、表示装置３によれば、収納装置２によって送信された映像縮小制御信号及び画質・コントラスト制御信号を制御信号受信部５７によって受信し、これら制御信号に基づいて映像信号を処理する。その結果、収納部１２の開口端に対する位置に対応して、映像の縮小や、画質、コントラストの調整を行うことができる。
【００８６】
図７は、表示装置３の位置と表示部５２に表示される映像の大きさとの関係を示す説明図である。
【００８７】
表示装置３が収納部１２内の最前部にあるとき、収納装置２の映像信号縮小パラメータ計算部４７は、映像の大きさを縮小しないような映像縮小制御信号を生成し、表示装置３に送信する。これにより、表示装置３の映像信号縮小処理部５８は、映像信号受信部５６で受信した映像信号Ｌ１に対して映像を縮小するような処理を行わない。そのため、図７に示すように、映像信号縮小処理部５８から出力された映像信号Ｌ２に基づく映像は、表示部５２の表示可能領域Ｔの全体に表示される。
【００８８】
表示装置３が収納部１２内の最前部から奥側に移動されると、収納装置２の映像信号縮小パラメータ計算部４７は、表示装置３の位置に応じて映像の大きさを縮小するような映像縮小制御信号を生成する。そして、映像縮小制御信号は、制御信号送信部４４によって表示装置３の映像信号受信部５６に送信される。これにより、表示装置３の映像信号縮小処理部５８は、映像信号受信部５６で受信した映像信号Ｌ１に対して映像を縮小するような処理を行う。
【００８９】
例えば、表示装置３が収納部１２内の中間部にあるとき、映像信号縮小処理部５８から出力された映像信号Ｌ２に基づく映像は、表示部５２の表示可能領域Ｔよりも小さい表示領域Ｓ１内に表示される。また、表示装置３が収納部１２内の最奥部にあるとき、映像信号縮小処理部５８から出力された映像信号Ｌ２に基づく映像は、上述した表示領域Ｓ１よりも小さい表示領域Ｓ２内に表示される。
【００９０】
このように、本発明の表示装置収納システム１によれば、表示装置３が収納部１２内の最奥部に至るにつれて表示部５２に表示される映像が縮小される。そのため、斜め前方から表示部５２を見ても、表示される映像の一部が左右の側面板１２ｃ，１２ｄによって隠れることはない。したがって、表示された映像の全体をユーザに視認させることができ、快適な視聴環境を確保することができる。
【００９１】
なお、表示される映像の一部が左右の側面板１２ｃ，１２ｄによって隠れないような斜め前方の範囲は、表示装置３の位置に応じた映像の縮小の比率を変えることにより変更可能となる。つまり、表示された映像の全体を視認可能な斜め前方の範囲を広く確保したい場合には、表示装置３の位置に応じた映像の縮小の比率を高くする。
【００９２】
また、本発明の表示装置収納システム１によれば、照度センサ１４によって検出した照度の値に応じて画質やコントラストを調整するため、表示される映像が見え難くなることを防止或いは抑制することができ、快適な視聴環境を確保することができる。
【００９３】
図８は、本発明に係る収納装置の第２の実施の形態を示す説明図である。この収納装置６２は、上述した収納装置２と同様の構成を有しており、異なるところは、保持台６６と保持台移動部７１である。そのため、ここでは、保持台６６及び保持台移動部７１について説明し、収納装置２と共通する部分には同一符号を付して重複した説明を省略する。
【００９４】
収納装置６２の保持台６６は、側面形状がＬ字状に形成されている。この保持台６６は、収納部１２の底面板１２ｂに対向されるベース部６７と、このベース部６７に連続して略垂直に延在される取付部６８を備えている。表示装置３は、固定ねじ（図示せず）によって保持台６６の取付部６８に取り付けられる。
【００９５】
ベース部６７の下部には、保持台６６を収納部１２の底面板１２ｂ上で移動させるための複数のローラ１９が取り付けられている。各ローラ１９は、収納部１２の底面板１２ｂ上に設けられたガイド溝（図示せず）に係合されており、このガイド溝は、収納部１２の奥行き方向に延在されている。そのため、保持台１６は、収納部１２の奥行き方向にのみ移動可能となっている。また、ベース部６７には、収納部１２の奥行き方向に貫通するねじ孔６７ａが設けられている。このねじ孔６７ａは、後述する送りねじ軸７４に螺合される。
【００９６】
保持台移動部７１は、制御室４１内に配設された駆動モータ（図示せず）と、この駆動モータの回転軸として設けられた送りねじ軸７４から構成されている。送りねじ軸７４は、収納部１２の奥行き方向に延在されており、先端部が収納部１２の底面板１２ｂに設けられた軸支持部１２ｆに回転可能に支持されている。
【００９７】
上述したように、送りねじ軸７４には、保持台６６のねじ孔６７ａが螺合される。したがって、駆動モータによって送りねじ軸７４を一方に回転させると、保持台６６は、収納部１２の前側（開口側）に移動する。これとは逆に、送りねじ軸７４を他方に回転させると、保持台６６は、収納部１２の奥側に移動する。
【００９８】
本実施の形態では、表示装置３が取り付けられた保持台６６の姿勢を安定させるために、Ｘ型のリンク機構７２によって保持台６６を支持する構成としている。このリンク機構７２は、第１のリンク片７５と、第２のリンク片７６と、これらリンク片７５，７６を中間部で回転可能に連結する連結軸７７と、４つの摺動支持部材７８ａ，７８ｂ，７８ｃ，７８ｄから構成されている。
【００９９】
摺動支持部材７８ａ，７８ｂは、それぞれ保持台１６の取付部１８に摺動可能に係合されている。これら摺動支持部材７８ａ，７８ｂは、上下方向にのみ摺動可能となっており、水平方向への移動が禁止されている。摺動支持部材７８ｃ，７８ｄは、それぞれ収納部１２の背面板１２ｅに摺動可能に係合されている。これら摺動支持部材７８ｃ，７８ｄは、上下方向にのみ摺動可能となっており、水平方向への移動が禁止されている。
【０１００】
第１のリンク片７５の一端７５ａ（下端）は、摺動支持部材７８ｂに回動可能に支持され、他端７５ｂ（上端）は、摺動支持部材７８ｃに回動可能に支持されている。また、第２のリンク片７６の一端７６ａ（上端）は、摺動支持部材７８ａに回動可能に支持され、他端７６ｂ（下端）は、摺動支持部材７８ｄに回動可能に支持されている。
【０１０１】
Ｘ型のリンク機構７２は、保持台６６の移動に追従して動作する。つまり、保持台移動部７１によって保持台６６が収納部１２の前側に移動すると、第１及び第２のリンク片７５，７６が開くように回動し、摺動支持部材７８ａ，７８ｂ（７８ｃ，７８ｄ）が互いに接近するように上下方向へ移動する。一方、保持台６６が収納部１２の奥側に移動すると、第１及び第２のリンク片７５，７６が閉じるように回動し、摺動支持部材７８ａ，７８ｂ（７８ｃ，７８ｄ）が互いに離反するように上下方向へ移動する。
【０１０２】
収納装置６２では、送りねじ機構によって保持台６６を直接移動させるため、保持台６６の移動を安定させることができる。
【０１０３】
上述した収納装置２及び収納装置６２では、送りねじ機構を用いて保持台移動部２１及び保持台移動部７１を構成したが、本発明に係る保持台移動部としては、ラック・ピニオン機構やベルト送り機構等のその他の移動機構を用いる構成としてもよい。
【０１０４】
図９は、本発明に係る収納装置の第３の実施の形態を示すブロック図である。この収納装置８２は、上述した収納装置２（図５を参照）と同様の構成を有しており、異なるところは、照度センサ１４によって検出された照度の値の情報が画質・コントラストパラメータ計算部８８に直接入力されることである。そのため、ここでは、画質・コントラストパラメータ計算部８８について説明し、収納装置２と共通する部分には同一符号を付して重複した説明を省略する。
【０１０５】
収納装置８２の画質・コントラストパラメータ計算部８８は、照度センサ１４から出力された照度の情報に応じて、画質やコントラストを最適な状態にするためのパラメータを計算する。そして、画質・コントラストパラメータ計算部８８は、計算したパラメータを表す画質・コントラスト制御信号を生成し、制御信号送信部４４に出力する。この画質・コントラスト制御信号に基づいて映像信号を処理することにより、表示装置３に表示される映像の画質やコントラストが最適な状態に調整される。
【０１０６】
例えば、照度センサ１４で検出された照度の値が予め設定された閾値よりも高い場合、画質・コントラストパラメータ計算部８８は、その照度の値に応じてコントラストが高くなるようなパラメータを算出する。逆に、検出された照度の値が予め設定された閾値よりも低い場合、画質・コントラストパラメータ計算部８８は、その照度の値に応じてコントラストが低くなるようなパラメータを算出する。
【０１０７】
画質を変更する要素としては、ブライトネス（輝度）、解像度（画素数）及びシャープネス（映像の輪郭などを強調する処理）を挙げることができる。例えば、照度センサ１４で検出された照度の値が予め設定された閾値よりも高い場合、画質・コントラストパラメータ計算部８８は、その照度の値に応じてブライトネス、解像度及びシャープネスが高く（多く）なるようなパラメータを算出する。
【０１０８】
このように、収納装置８２では、表示装置３の位置を考慮せず、照度センサ１４で検出された照度の値のみによって、表示装置３に表示される映像の画質やコントラストを最適な状態にするためのパラメータを計算する。そのため、画質・コントラストパラメータ計算部８８で行う処理を、表示装置３の位置を考慮してパラメータを計算する第１の実施の形態の画質・コントラストパラメータ計算部４８で行う処理よりも簡単にすることができる。
【０１０９】
図１０は、本発明に係る表示装置の第３の実施の形態を示すブロック図である。この表示装置９３は、映像信号を処理する信号処理ユニット９４と、この信号処理ユニット９４とは別体に設けられ、信号処理ユニット９４で処理された映像信号に基づいて映像を表示するディスプレイユニット９５を備えている。
【０１１０】
信号処理ユニット９４は、収納装置２の収納部１２とは別の収納部や、収納装置２の外部などに設置される。一方、ディスプレイユニット９５は、固定ねじによって収納装置２の保持台１６に取り付けられる。そのため、収納装置２の位置検出部４２は、送りねじ軸３４（図３を参照）の回転数を検出して、収納部１２の開口端に対するディスプレイユニット９５の位置を算出する。
【０１１１】
信号処理ユニット９４は、映像信号受信部９６と、制御信号受信部９７と、映像信号縮小処理部９８を備えている。映像信号受信部９６は、映像信号が入力される端子等で構成されている。映像信号受信部９６によって受信された映像信号は、映像信号縮小処理部９８に出力される。
【０１１２】
制御信号受信部９７は、収納装置２の制御信号送信部４４によって送信された映像縮小制御信号及び画質・コントラスト制御信号を受信する。そして、制御信号受信部９７は、受信した映像縮小制御信号を映像信号縮小処理部９８に出力し、画質・コントラスト制御信号を図示しないインターフェース部を介してディスプレイユニット９５に出力する。
【０１１３】
映像信号縮小処理部９８は、制御信号受信部９７を介して供給された映像縮小制御信号に基づいて映像信号を処理し、ディスプレイユニット９５で表示される映像をディスプレイユニット９５の位置に応じた大きさにする。映像信号縮小処理部９８は、処理した映像信号を図示しないインターフェース部を介してディスプレイユニット９５に出力する。
【０１１４】
ディスプレイユニット９５は、画質・コントラスト調整部１０１と、表示部１０２を備えている。表示部１０２としては、第１の実施の形態に係る表示部５２と同様に、液晶パネル、プラズマディスプレイパネル、有機ＥＬ（electroluminescence）パネル等を適用することができる。
【０１１５】
画質・コントラスト調整部１０１は、映像信号縮小処理部９８で処理された映像信号を、画質・コントラスト制御信号に基づいて処理し、表示される映像の画質やコントラストを調整する。この画質・コントラスト調整部１０１は、処理した映像信号を表示部１０２に出力する。そして、表示部１０２は、供給された映像信号に基づいて映像を表示する。
【０１１６】
表示装置９３による表示方法については、第１の実施の形態に係る表示装置３による表示方法と同じであるため、説明を省略する。
【０１１７】
本発明は、前述しかつ図面に示した実施の形態に限定されるものではなく、その要旨を逸脱しない範囲内で種々の変形実施が可能である。例えば、前記実施の形態では、制御部４３によって映像縮小制御信号及び画質・コントラスト制御信号を生成する構成としたが、本発明に係る制御信号としては、表示装置の位置と照度センサで検出した照度の値を表す信号であってもよい。
【０１１８】
その場合、表示装置の映像信号縮小処理部は、表示装置の位置情報に基づいて映像の縮小を行うためのパラメータを算出し、算出したパラメータに基づいて映像信号を処理する。また、表示装置の画質・コントラスト調整部は、表示装置の位置及び照度センサで検出した照度の値に基づいて画質やコントラストを最適な状態にするためのパラメータを算出し、算出したパラメータに基づいて映像信号を処理する。
【０１１９】
また、第１の実施の形態に係る収納装置では、照度センサ１４で検出した照度の値が予め設定された閾値よりも低い場合に、画質・コントラストパラメータ計算部４８が、その照度の値に応じてコントラストが低くなるようなパラメータを算出する構成とした。しかしながら、本発明に係る画質・コントラストパラメータ計算部としては、照度センサ１４により検出した照度の値が予め設定された閾値よりも低い場合に、常に一定のパラメータを算出する構成としてもよい。
【０１２０】
また、上述した実施の形態では、表示装置の映像信号受信部によって映像信号を受信する構成としたが、本発明に係る表示装置としては、映像信号が記録された記録媒体を読み出す読み出し部（再生部）を有する構成としてもよい。また、本発明に係る表示装置としては、予め映像信号が記憶された記憶部と、この記憶部に記憶された映像信号を読み出す読み出し部を有する構成としてもよい。これらの場合、読み出し部は、読み出した映像信号を映像信号縮小処理部に出力する。
【図面の簡単な説明】
【０１２１】
【図１】本発明の表示装置収納システムの第１の実施の形態を示す説明図である。
【図２】図１に示すＡ−Ａ線部分の断面図である。
【図３】本発明の表示装置収納システムの第１の実施の形態に係る収納部内において保持台を最も前側に移動させた状態の説明図である。
【図４】本発明の表示装置収納システムの第１の実施の形態に係る収納部内において保持台を最も奥側に移動させた状態の説明図である。
【図５】本発明の表示装置収納システムの第１の実施の形態に係る収納装置及び表示装置の構成例を示すブロック図である。
【図６】本発明の表示装置収納システムの第１の実施の形態に係る制御部によって行われる保持台移動部の駆動処理の例を示すフローチャートである。
【図７】本発明の表示装置収納システムの第１の実施の形態に係る表示装置の位置と表示部に表示される映像の大きさとの関係を示す説明図である。
【図８】本発明の表示装置収納システムに係る収納装置の第２の実施の形態を示す説明図である。
【図９】本発明の表示装置収納システムに係る収納装置の第２の実施の形態を示すブロック図である。
【図１０】本発明の表示装置収納システムに係る表示装置の第２の実施の形態を示すブロック図である。
【符号の説明】
【０１２２】
１…表示装置収納システム、  ２，６２，８２…収納装置、  ３，９３…表示装置、  １１…筐体、  １２…収納部、  １２ａ…上面板、  １２ｂ…底面板、  １２ｃ…左側面板（壁板）、  １２ｄ…右側面板（壁板）、  １４…照度センサ（照度検出部）、  １５…ネット部材、  １６…保持台、  １７…ベース部、  １８…取付部、  ２１，７１…保持台移動部、  ２２，７２…リンク機構、  ２３…駆動部、  ４１…制御室、  ４２…位置検出部、  ４３…制御部、  ４４…制御信号送信部（送信部）、  ４６…表示装置位置制御部、  ４７…映像信号縮小パラメータ計算部、    ４８，８８…画質・コントラストパラメータ計算部、  ４９…コントロールコマンド解釈部、  ５１…表示装置本体、  ５２，１０２…表示部、  ５６，９６…映像信号受信部、  ５７，９７…制御信号受信部、  ５８，９８…映像信号縮小処理部、  ５９，１０１…画質・コントラスト調整部
【図１】
2009302765.tif 000003
【図２】
2009302765.tif 000004
【図３】
2009302765.tif 000005
【図４】
2009302765.tif 000006
【図５】
2009302765.tif 000007
【図６】
2009302765.tif 000008
【図７】
2009302765.tif 000009
【図８】
2009302765.tif 000010
【図９】
2009302765.tif 000011
【図１０】
2009302765.tif 000012